(57)【要約】  組織異常を治療するための装置、システム、および方法が開示されている。組織は、そこに含まれる１つまたは複数の異常の存在を判断するために視覚化されることがある。視覚化によって得られた撮像データが、１つまたは複数の異常の存在を判断するために使用されることがある。検出された異常それぞれが識別されることがあり、異常を治療するための治療計画が作成されることがある。治療計画に従って異常に治療を送達することができる。
2018509975.tif 000002
【特許請求の範囲】
【請求項１】
治療位置で組織の撮像データを受信するように適合された撮像デバイスと、
前記治療位置で前記組織に治療を適用するように適合された治療送達デバイスと、
治療制御デバイスを備える手術最適化システムであって、前記撮像デバイスと前記治療デバイスとが、前記治療制御デバイスに結合され、前記治療制御デバイスが、
プロセッサを備え、前記プロセッサが、
前記受信された撮像データに基づいて前記組織の異常の存在を識別し、
前記治療送達デバイスによって、治療計画に従って前記異常に対して治療を送達するように適合される
手術最適化システム。
【請求項２】
前記治療制御デバイスがさらにユーザインタフェースを備え、前記ユーザインタフェースが、前記治療計画を受信するように適合される請求項１に記載のシステム。
【請求項３】
前記治療制御デバイスの前記プロセッサが、前記識別された異常を使用して前記治療計画を決定するようにさらに適合される請求項１に記載のシステム。
【請求項４】
前記識別された異常を使用して治療計画を決定するように適合された前記プロセッサが、前記識別された異常を治療するための治療パラメータを決定するように適合されたプロセッサを備える請求項３に記載のシステム。
【請求項５】
前記プロセッサが、前記治療の経過中に前記治療計画を更新するようにさらに適合される請求項３に記載のシステム。
【請求項６】
前記受信された撮像データに基づいて前記組織の異常の存在を識別するように適合された前記プロセッサが、前記受信された撮像データに基づいて特定のタイプの異常を識別するように適合されたプロセッサを備える請求項１に記載のシステム。
【請求項７】
前記治療位置での前記組織が網膜組織であり、識別された異常のタイプが、静脈閉塞、黄斑浮腫、微小血管異常、網膜裂孔、網膜裂傷、または眼腫瘍の１つを含む請求項６に記載のシステム。
【請求項８】
前記撮像デバイスがＯＣＴデバイスである請求項１に記載のシステム。
【請求項９】
前記治療パラメータが、治療を適用するための位置、治療すべき位置のサイズ、治療から除外される位置、および治療に使用すべきレーザ出力のうちの１つを含む請求項１に記載のシステム。
【請求項１０】
前記治療送達デバイスによる前記治療計画に従った前記異常への前記治療の送達が、前記治療制御デバイスによって自律的に行われる請求項１に記載のシステム。
【請求項１１】
前記治療送達デバイスによる前記治療計画に従った前記異常への前記治療の送達が、ユーザ入力を受信すると実施される請求項１に記載のシステム。
【請求項１２】
前記ユーザ入力が、標的インジケータと前記異常の治療位置との位置合わせを含む請求項１１に記載のシステム。
【請求項１３】
組織の治療を最適化するための方法であって、
組織の撮像データを取得するために撮像デバイスによって前記組織を視覚化するステップと、
アルゴリズムを使用して、前記撮像データに基づいて前記組織の異常を識別するステップと、
治療計画に従って前記組織の前記異常に治療を送達するステップと
を含む方法。
【請求項１４】
前記異常を治療するために、ユーザインタフェースを介して前記治療計画を受信するステップをさらに含む請求項１３に記載の方法。
【請求項１５】
前記異常を治療するために、プロセッサによって前記治療計画を生成するステップをさらに含む請求項１３に記載の方法。
【請求項１６】
プロセッサによって、前記異常を治療するための前記治療計画を生成するステップが、前記異常の治療位置、前記異常の治療位置のサイズ、識別された治療位置に印加すべき出力設定、および治療から除外すべき位置の少なくとも１つを識別するステップを含む請求項１６に記載の方法。
【請求項１７】
前記治療計画に従って前記組織の前記異常に治療を送達するステップが、治療送達デバイスによって治療を送達するステップを含む請求項１３に記載の方法。
【請求項１８】
前記治療送達デバイスが治療レーザを含む請求項１８に記載の方法。
【請求項１９】
前記組織の撮像データを取得するために撮像デバイスによって組織を視覚化するステップが、ＯＣＴデバイスによって前記組織を視覚化するステップを含む請求項１３に記載の方法。
【請求項２０】
前記撮像データに基づいて前記組織の異常を識別するために使用される前記アルゴリズムが、画像処理アルゴリズムを含む請求項１３に記載の方法。
【請求項２１】
前記治療計画に従って前記組織の前記異常に治療を送達するステップが、前記治療計画に従って前記異常に治療を自動的に送達するステップを含む請求項１３に記載の方法。
【請求項２２】
前記治療計画に従って前記組織の前記異常に治療を送達するステップが、ユーザの入力を受信すると、前記治療計画に従って前記異常に治療を送達するステップを含む請求項１３に記載の方法。
【請求項２３】
前記治療が前記異常に送達されているときに前記治療計画を更新するステップをさらに含む請求項１３に記載の方法。
【請求項２４】
前記治療計画を前記組織のリアルタイム画像とレジストレーションするステップをさらに含む請求項１３に記載の方法。
【発明の詳細な説明】
【技術分野】
【０００１】
本開示は、レーザ光凝固を最適化するためのシステム、装置、および方法に関する。特に、本開示は、眼科学における光凝固を最適化するためのシステム、装置、および方法に関する。
【背景技術】
【０００２】
時間と共に、眼の網膜の１つまたは複数の位置が、怪我または疾患により欠陥を生じることがある。レーザ光凝固は、療法的利益を提供するために、網膜での１つまたは複数の位置を正確かつ精細に焼灼するためにレーザエネルギーの使用を含むことがある。これらの欠陥のいくつかは、様々な疾患または状態によって引き起こされることがある。例えば、レーザ光凝固を利用することができる疾患としては、加齢黄斑変性（「ＡＭＤ」）、糖尿病網膜症、網膜虚血、動脈および静脈閉塞、中心性漿液性網脈絡膜症、脈絡膜または網膜の血管新生、緑内障、未熟児網膜症、網膜裂傷または裂孔、網膜剥離、網膜変性、後嚢混濁（「ＰＣＯ」）、ならびにいくつかの眼腫瘍が挙げられる。
【発明の概要】
【課題を解決するための手段】
【０００３】
一態様によれば、本開示は、治療位置で組織の撮像データを受信するように適合された撮像デバイスと；治療位置で組織に治療を適用するように適合された治療送達デバイスと；治療制御デバイスとを含むことがある手術最適化システムを述べる。撮像デバイスおよび治療デバイスは、治療制御デバイスに結合されることがある。治療制御は、受信された撮像データに基づいて組織の異常の存在を識別し；識別された異常を使用して治療計画を決定し；治療送達デバイスによって治療計画に従って異常に治療を送達するように適合されたプロセッサを含むことがある。
【０００４】
本開示の別の態様は、組織の治療を最適化するための方法を含む。この方法は、組織の撮像データを取得するために撮像デバイスによって組織を視覚化するステップと；アルゴリズムを使用して、撮像データに基づいて組織の異常を識別するステップと；プロセッサによって、異常を治療するための計画を生成するステップと；治療計画に従って組織の異常に治療を送達するステップとを含むことがある。
【０００５】
様々な態様は、以下の特徴の１つまたは複数を含むことがある。プロセッサは、受信された撮像データに基づいて特定のタイプの異常を識別するように適合されることがある。治療位置での組織は網膜組織でよく、識別される異常のタイプは、静脈閉塞、黄斑浮腫、微小血管異常、網膜裂孔、網膜裂傷、または眼腫瘍の１つでよい。撮像デバイスは、ＯＣＴデバイスでよい。プロセッサは、識別された異常を治療するための治療パラメータを決定するように適合されることがある。治療パラメータは、治療を適用するための位置、治療すべき位置のサイズ、治療から除外される位置、および治療に使用すべきレーザ出力のうちの１つを含むことがある。
【０００６】
治療送達デバイスによる治療計画に従った異常への治療の送達は、治療制御デバイスによって自律的に行われることがある。治療送達デバイスによる治療計画に従った異常への治療の送達は、ユーザ入力を受信すると実施されることがある。ユーザ入力は、標的インジケータと異常の治療位置との位置合わせを含むことがある。プロセッサは、治療の経過中に治療計画を更新するようにさらに適合されることがある。
【０００７】
様々な態様は、以下の特徴の１つまたは複数を含むこともできる。治療計画に従って組織の異常に治療を送達するステップは、治療送達デバイスによって治療を送達するステップを含むことがある。治療送達デバイスは、治療レーザを含むことがある。組織の撮像データを取得するために撮像デバイスによって組織を視覚化するステップは、ＯＣＴデバイスによって組織を視覚化するステップを含むことがある。撮像データに基づいて組織の異常を識別するために使用されるアルゴリズムは、画像処理アルゴリズムを含むことがある。プロセッサによって、異常を治療するための治療計画を生成するステップが、異常の治療位置、異常の治療位置のサイズ、識別された治療位置に印加すべき出力設定、および治療から除外すべき位置の少なくとも１つを識別するステップを含むことがある。治療計画に従って組織の異常に治療を送達するステップは、治療計画に従って異常に治療を自動的に送達するステップを含むことがある。治療計画に従って組織の異常に治療を送達するステップは、ユーザの入力を受信すると、治療計画に従って異常に治療を送達するステップを含むことがある。治療計画は、治療が異常に送達されているときに更新されてもよい。治療計画は、組織のリアルタイム画像とレジストレーションされることがある。
【０００８】
上記の一般的な説明および以下の詳細な説明は本質的に例示および説明のためのものであり、本開示を理解できるようにすることを意図されており、本開示の範囲を限定するものではないことを理解されたい。それに関し、本開示の追加の態様、特徴、および利点は、以下の詳細な説明から当業者には明らかであろう。
【図面の簡単な説明】
【０００９】
【図１】組織異常を治療するための例示的なシステムの概略図である。
【図２】第１の図に示される組織と、第２の図に示される組織の一部分の撮像データとを含む例示的な画像である。
【図３】網膜特徴部を自動的に検出するための例示的アルゴリズムの流れ図である。
【図４Ａ】網膜の一部の例示的な２次元ＯＣＴ画像である。
【図４Ｂ】網膜の一部の例示的な３次元ＯＣＴ画像である。
【図５Ａ】ＩＬＭ層とＲＰＥ層の境界が識別されている、図４Ａに示される網膜の部分の例示的な２次元ＯＣＴ画像である。
【図５Ｂ】ＩＬＭ層とＲＰＥ層の境界が識別されている、図４Ｂに示される網膜の部分の例示的な３次元ＯＣＴ画像である。
【図６】網膜神経感覚上皮の厚さプロファイルを表す例示的なグラフである。
【図７Ａ】検出された網膜裂孔の標示を含む例示的な２次元ＯＣＴ画像である。
【図７Ｂ】眼の眼底画像と合成された、網膜裂孔の疑いがある部分を取り囲む標示を示す図である。
【図７Ｃ】検出された網膜異常に基づいて生成することができる疑似カラーマップを示す図である。
【図８】識別された異常を有する組織、およびそれに関連する選択された治療位置を示す例示的な画像を示す図である。
【図９】選択された治療位置のいくつかが治療済みとして識別されている図８の画像を示す図である。
【図１０−１１】網膜に適用される例示的な網膜復位術を示す図である。
【図１２】組織治療を最適化するための例示的な方法である。
【発明を実施するための形態】
【００１０】
本開示は、医学的治療に関する。特に、本開示は、眼科学においてレーザ光凝固を最適化するための方法、装置、およびシステムを述べる。いくつかの場合には、レーザ光凝固は完全に自動化することができ、医師または他の医療専門家などのユーザからの入力をわずかしか必要としない。他の場合には、ユーザは、レーザ光凝固中に様々な程度の入力を行うことができる。さらに、いくつかの場合には、最適化されたレーザ光凝固を具現化する、および／または最適化されたレーザ光凝固のために使用される装置は、独立型のデバイスまたはシステムでよい。他の場合には、装置は、複数の外科処置を実施するように動作可能な手術コンソールに組み込まれることもある。
【００１１】
本明細書における説明は、概して眼科学の文脈で行う。しかし、眼科学は、提示する主題を使用することができる分野の一例として提供されるにすぎない。したがって、本開示の範囲はそれに限定されない。本明細書で述べる主題は、他の用途で利用することもでき、他の医療分野または医療分野以外の分野にも適用可能である。したがって、本開示の範囲は、眼科用途に限定されない。例えば、本開示の態様は、眼科とは無関係の他のタイプの医学的状態および外科処置に適用可能であり得る。さらに、本開示の範囲は、レーザ光凝固治療に限定されない。眼科学における、および眼科学以外の他のタイプの治療も、本開示の範囲内にある。
【００１２】
さらに、網膜レーザ光凝固処置を述べる。しかし、これも例示目的で提供されるにすぎず、本開示の範囲を限定することを意図されてはいない。上で説明したように、本開示は、他のタイプの眼科外科処置および眼科学以外の外科処置にも適用可能であり得る。さらに、本開示は、医療分野以外でも適用可能であり得る。
【００１３】
図１は、最適化されたレーザ光凝固処置を実施するために使用することができる例示的なシステム１００を示す。システム１００は、網膜など眼の一部のレーザ光凝固を実施するためにレーザエネルギーを提供するように動作可能である。いくつかの場合には、システム１００は、以下の特徴の１つまたは複数を実施するように動作可能である。１）眼組織の撮像データを得ることを含め、眼組織を視覚化する；２）識別された異常位置を追跡することを含め、撮像データを使用して治療対象の眼組織での異常およびその位置を識別する；３）眼組織での異常のレーザ治療を適切に実施するのに適切なレーザパラメータを決定する；および４）異常を治療する。これは、いくつかの場合には、識別された位置を治療するためにレーザを発射することを含むことがある。
【００１４】
さらに、いくつかの実装形態では、システム１００は、眼組織の画像上にオーバーレイされる「ヘッドアップディスプレイ」を提供することもある。ヘッドアップディスプレイは、レーザ光凝固治療に関連する情報をユーザに提供することができる。例えば、ヘッドアップディスプレイは、眼組織の画像上に、治療対象の１つまたは複数の選択された標的位置をオーバーレイすることがある。まだ治療されていない選択された標的位置が、ある様式（例えば記号、色、文字の表現など）で表現されることがあり、治療済みの標的位置は、治療されていない標的位置とは異なる様式で表現されることがある。ヘッドアップディスプレイは、レーザ照準標示を提供することもある。レーザ照準標示は、レーザ発射が生じた場合にレーザエネルギーが送達される眼組織での位置を識別することができる。レーザ照準標示は、リアルタイムで追跡されることがあり、レーザが発射された場合にレーザエネルギーが眼組織に影響を及ぼす瞬時位置をユーザに示すことがある。
【００１５】
システム１００は、レーザ制御デバイス１１０と、レーザ送達デバイス１２０と、撮像デバイス１３０と、ディスプレイ１５０とを含むことがある。顕微鏡１４０が含まれることもある。レーザ制御デバイス１１０は、治療レーザ１５５を含むことがある。治療レーザ１５５は、レーザ送達デバイス１２０に動作可能に結合されることがある。いくつかの実装形態では、治療レーザ１５５は、レーザ送達デバイス１２０に含まれていてもよく、または他の形でレーザ送達デバイス１２０の一部を成していてもよい。いくつかの実装形態では、レーザ送達デバイス１２０は、眼組織での特定の位置にレーザエネルギーを向けるように動作可能でよい。いくつかの場合には、レーザ送達デバイス１２０は、レーザプローブでよい。撮像デバイス１３０は、眼組織のある領域の画像を受け取るように動作可能でよい。撮像デバイス１３０によって提供される画像は、眼組織の深さに沿った組織構造を示す撮像データなどの撮像データを含むことがある。撮像デバイス１３０は、撮像データが望まれる眼組織の部分を撮像するために利用されることもある。
【００１６】
いくつかの場合には、レーザ送達デバイス１２０および撮像デバイス１３０は、別個のデバイスであるか、または別個のデバイスの一部を成す。例えば、いくつかの場合には、レーザ送達デバイス１２０は、眼の一部分に少なくとも部分的に挿入可能なレーザプローブでよい。撮像デバイス１３０は、眼組織の画像および／またはそれを表すデータを受信してレーザ制御デバイス１１０またはシステム１００の他の部分に送信するように動作可能な別個のデバイスでよく、または別個のデバイスの一部を成していてよい。例えば、撮像デバイス１３０は、眼に少なくとも部分的に挿入可能な光干渉断層撮像（「ＯＣＴ」）プローブでよい。他の場合には、撮像デバイス１３０は、赤外線撮像データ、網膜トポグラフィデータ、または組織異常を識別するために使用可能な情報を含む任意の他のタイプのデータを取得するように動作可能でもよい。異常の１つまたは複数は、レーザ光凝固治療に適していると決定されることがある。
【００１７】
撮像デバイス１３０からの送信された画像および／または画像データは、任意の所望の様式でユーザに表示されることがある。例えば、受信された画像および／またはデータは、モニタに、顕微鏡（例えば手術用顕微鏡の接眼レンズ内）に、眼組織を表現するデータモデルとして、または任意の他の所望の様式で表示することができる。他の場合には、レーザ送達デバイス１２０および撮像デバイス１３０は、単一のデバイスの一部を成すことがある。さらに、システム１００は、複数のレーザ送達デバイス１２０および／または撮像デバイス１３０を含むこともある。
【００１８】
顕微鏡１４０は、眼の一部分の画像を取得するために利用されることもある。例えば、顕微鏡１４０は、眼の網膜またはその一部分の画像を取得するように動作可能でよい。網膜の画像は、接眼レンズ１４５を介してユーザが直接観察することができる。いくつかの場合には、顕微鏡１４０によって取得された画像は、ディスプレイ１５０などの別個のディスプレイに送信されてもよい。したがって、いくつかの場合には、システム１００は、治療対象の組織を観察するための複数の構成要素を含むことがある。例えば、顕微鏡１４０は、眼の角膜および水晶体を通して網膜を見るために使用されることがある。顕微鏡１４０によって提供される画像データは、網膜の大部分を包含することがある。他の場合には、画像データは、網膜のより小さい部分を包含することがある。また、撮像デバイス１３０は、顕微鏡１４０によって提供される画像データと共に使用されることがあるデータを取得することも可能であり得る。例えば、顕微鏡１４０によって提供される画像データは、網膜の視覚画像を含むことがあり、撮像デバイス１３０は、視覚画像内の網膜の一領域のＯＣＴデータを取得するように動作可能であり得る。例えば、ＯＣＴデータは、組織の１つまたは複数の走査線に沿った深度データを含むことがある。したがって、ＯＣＴデータは、１つまたは複数の走査線に沿って撮影された組織の仮想断面情報を提供する。いくつかの場合には、撮像デバイス１３０が顕微鏡１４０の一部を成すこともある。他の実装形態では、レーザ送達デバイス１２０が顕微鏡１４０の一部を成すこともある。さらに他の実装形態では、撮像デバイス１３０とレーザ送達デバイス１２０との両方が顕微鏡１４０の一部を成すこともある。
【００１９】
撮像デバイス１３０は、眼に挿入されるＯＣＴ器具でよいが、眼に挿入されることなく、手術前に、または手術中に瞬時にＯＣＴデータを取得するデバイスでもよい。例えば、いくつかの場合には、撮像デバイス１３０は、眼の角膜および水晶体を通してＯＣＴデータを取得するように動作可能でよい。特に、いくつかの場合には、撮像デバイス１３０が顕微鏡１４０の一部を成すことがある。さらに、ＯＣＴデータは、眼の角膜および水晶体を通して取得されることがある。
【００２０】
いくつかの場合には、システム１００は、別個の専用システムでよい。他の場合には、システム１００は、レーザ光凝固および他の外科処置を実施するように動作可能な多機能システムに組み込まれることもある。したがって、いくつかの場合には、システム１００は、多機能手術コンソールの一体型サブシステムでよい。
【００２１】
システム１００は、プロセッサ１６０と、プロセッサ１６０と通信するメモリデバイス１７０とを含むことがある。メモリデバイス１７０は、任意のメモリまたはモジュールを含むことがあり、限定はしないが磁気媒体、光媒体、ランダムアクセスメモリ（ＲＡＭ）、読み出し専用メモリ（ＲＯＭ）、リムーバブル媒体、または任意の他の適切なローカルもしくは遠隔メモリ構成要素を含む揮発性または不揮発性メモリの形態を取ることがある。メモリデバイス１７０は、構成要素の中でもとりわけ、レーザ制御アプリケーション１８０を含むことがある。レーザ制御アプリケーション１８０は、システム１００の態様を操作するための命令を提供することがある。例えば、レーザ制御アプリケーション１８０は、レーザ制御デバイス１１０を制御するための命令を含むことがある。
【００２２】
メモリ１７０は、クラス、フレームワーク、アプリケーション、バックアップデータ、ジョブ、または他の情報（任意のパラメータ、変数、アルゴリズム、命令、規則、もしくはそれらへの参照を含む）を記憶することもある。メモリ１７０はまた、他のタイプのデータを含むこともあり、そのようなデータは、例えば、環境および／またはアプリケーション記述データ、１つまたは複数のアプリケーションに関するアプリケーションデータ、ならびに、仮想プライベートネットワーク（ＶＰＮ）アプリケーションまたはサービス、ファイアウォールポリシー、セキュリティまたはアクセスログ、プリントまたは他のレポーティングファイル、ＨＴＭＬ（ＨｙｐｅｒＴｅｘｔ  Ｍａｒｋｕｐ  Ｌａｎｇｕａｇｅ：ハイパーテキストマークアップランゲージ）ファイルまたはテンプレート、関連するまたは関連しないソフトウェアアプリケーションまたはサブシステムなどを含むデータである。したがって、メモリ１７０は、レーザ制御アプリケーション１８０など１つまたは複数のアプリケーションからのローカルデータレポジトリなど、データのレポジトリとみなすこともできる。また、メモリ１７０は、レーザ制御アプリケーション１８０など１つまたは複数のアプリケーションによって利用することができるデータも含むことがある。
【００２３】
レーザ制御アプリケーション１８０は、結果または出力を決定するために例えば１つまたは複数のアルゴリズムにおいて受信データを利用するように動作可能な命令を含むプログラムまたはプログラム群を含むことがある。決定された結果は、システム１００の態様に影響を及ぼすために使用されることがある。レーザ制御アプリケーション１８０は、例えば治療レーザ１５５などの治療レーザの態様を制御するための命令を含むことがある。アプリケーション１８０は、レーザパラメータを決定および制御するための１つまたは複数のアルゴリズムなどの命令を含むことがある。レーザパラメータの制御は、ユーザによって入力される情報および／または１つまたは複数のセンサなどによるシステムへの受信されたデータを前提とすることがある。１つまたは複数のセンサが、システム１００に含まれることがあり、または他の形でシステム１００と通信することがある。例えば、入力された情報は、撮像デバイス１３０および／または顕微鏡１４０から受信された撮像データでよい。レーザ制御アプリケーション１８０は、システム１００の動作に対する１つまたは複数の調整を決定することがある。調整は、例えばレーザ制御デバイス１１０などシステム１００の１つまたは複数の構成要素に送信された１つまたは複数の制御信号によって実施されることがある。例示的なシステム１００が図示されているが、システム１００の他の実装形態は、図示されているよりも多い、少ない、または異なる構成要素を含むこともある。
【００２４】
いくつかの場合には、レーザ制御アプリケーション１８０は、治療対象の眼組織の１つまたは複数の画像を取得し、レーザ光凝固治療の対象となる眼組織の１つまたは複数の領域を識別し、レーザ治療計画を生成し、眼組織の１つまたは複数の領域にレーザ治療を送達するための命令を提供することがある。また、レーザ制御アプリケーション１８０は、システム１００の１つまたは複数の構成要素および／またはシステム１００に結合された周辺デバイスを制御するための命令を含むこともある。例えば、いくつかの実装形態では、レーザ制御アプリケーション１８０は、レーザ制御デバイス１１０、治療レーザ１５５、レーザ送達デバイス１２０、撮像デバイス１３０、および／または表示デバイス１４０の態様を制御するための命令を含むことがある。さらに、レーザ制御アプリケーション１８０は、ユーザに情報を提供するためのヘッドアップディスプレイを生成するための命令を含むこともある。
【００２５】
プロセッサ１６０は、命令を実行し、データを操作して、システム１００の動作、例えば計算および論理演算を実施するように動作可能であり、例えば、中央処理装置（ＣＰＵ）、ブレード、特定用途向け集積回路（ＡＳＩＣ）、またはフィールドプログラマブルゲートアレイ（ＦＰＧＡ）でよい。図１は、レーザ制御デバイス１１０内に単一のプロセッサ１６０を示しているが、特定の必要性に応じて複数のプロセッサ１６０が使用されてもよく、プロセッサ１６０への言及は、適用可能な場合には複数のプロセッサ１６０を含むことも意図されている。いくつかの実装形態では、プロセッサ１６０は、１つまたは複数のマイクロプロセッサを含むことがある。プロセッサ１６０は、システム１００の様々な構成要素および／またはシステム１００に結合されたデバイスからデータを受信し、受信したデータを処理し、それに応答して、システム１００の構成要素および／またはシステム１００に結合されたデバイスの１つまたは複数にデータを送信するように適合されることがある。図示されている例では、プロセッサ１６０は、レーザ制御アプリケーション１８０を実行する。プロセッサ１６０は、システム１００の様々な態様を制御するように動作可能でよい。例えば、プロセッサ１６０は、治療レーザ１５５の発射を制御してレーザ凝固処置を実施するように動作可能な制御装置の少なくとも一部を成していてよい。記憶デバイス（ハードディスクドライブやＣＤ  ＲＯＭドライブなど）、プリンタ、および他の入出力デバイスなど、様々な周辺デバイスがシステム１００に結合されてもよい。
【００２６】
ディスプレイ１５０は、医師などのユーザに情報を表示する。いくつかの場合には、ディスプレイ１５０は、情報を視覚的に表示するためのモニタでよい。いくつかの場合には、ディスプレイ１５０は、ディスプレイと入力デバイスとの両方として動作することがある。例えば、ディスプレイ１５０は、ユーザによるタッチまたはディスプレイとの他の接触がシステム１００への入力を生成するタッチセンシティブディスプレイでよい。いくつかの場合には、ディスプレイ１５０は、グラフィカルユーザインタフェース（「ＧＵＩ」）１９０を介してユーザに情報を提示することがある。
【００２７】
ディスプレイ１５０は、眼組織の画像など、手術部位の画像を表示するために利用されてもよい。いくつかの場合には、ディスプレイ１５０は、検知されたデータをモデルの形で表示するように動作可能でよい。例えば、検知されたデータは、身体解剖学的構造の組織または他の部分のコンピュータ生成モデルを表示するために使用されることがある。表示されるモデルは、３次元モデル、２次元モデル、または他のタイプのモデルの形でよい。医師などのユーザは、画像および他の視覚情報を含む情報源としてディスプレイ１５０を利用することができる。同様に、顕微鏡１４０の接眼レンズ１４５も、画像および他の情報を受信するために利用することができる。いくつかの場合には、接眼レンズ１４５は、ディスプレイ１５０と同じ情報を提供するように動作可能でよい。他の場合には、接眼レンズ１４５によって表示される情報は、ディスプレイ１５０によって表示される情報とは異なることもある。顕微鏡１４０の接眼レンズ１４５と、ディスプレイ１５０とが、外科処置中に同時に使用されてもよい。さらに他の実装形態では、以下でより詳細に述べるヘッドアップディスプレイが、接眼レンズ１４５および／またはディスプレイ１５０に表示されることもある。他の実装形態では、接眼レンズ１４５またはディスプレイ１５０の一方を省くこともできる。
【００２８】
ＧＵＩ１９０は、医師などのユーザが、アプリケーションまたは他のシステム情報の閲覧など任意の適切な目的のためにシステム１００とインタフェースすることを可能にするように動作可能なグラフィカルユーザインタフェースを含むことがある。例えば、ＧＵＩ１９０は、レーザ光凝固外科処置および／またはシステム１００の動作態様に関連する詳細情報を含めた、医療処置に関連する情報を提供することがある。
【００２９】
一般に、ＧＵＩ１９０は、システム１００によって受信される、システム１００によって提供される、またはシステム１００内で通信される情報の効率的でユーザフレンドリーな提示を特定のユーザに提供することができる。ＧＵＩ１９０は、対話フィールド、プルダウンリスト、およびユーザによって操作されるボタンを有する複数のカスタマイズ可能なフレームまたはビューを含むことがある。また、ＧＵＩ１９０は、複数のポータルまたはダッシュボードを提示することもある。例えば、ＧＵＩ１９０は、レーザ制御デバイス１１０、治療レーザ１５５、レーザ送達デバイス１２０、撮像デバイス１３０、顕微鏡１４０、ディスプレイ１５０、またはシステム１００の任意の他の部分に関連するパラメータをユーザが入力して定義することを可能にするインタフェースを表示することがある。グラフィカルユーザインタフェースという用語は、１つまたは複数のグラフィカルユーザインタフェース、および特定のグラフィカルユーザインタフェースの各ディスプレイを表すために、単数形で使用されることも複数形で使用されることもあることを理解すべきである。実際、ＧＵＩ１９０への言及は、本開示の範囲から逸脱することなく、レーザ制御アプリケーション１８０のフロントエンドまたは構成要素への言及を表すこともある。したがって、ＧＵＩ１９０は、任意のグラフィカルユーザインタフェースを企図する。例えば、いくつかの場合には、ＧＵＩ１９０は、データを入力するための汎用ウェブブラウザを含むことがあり、結果をユーザに効率的に提示することができる。他の場合には、ＧＵＩ１９０は、例えば、レーザ制御アプリケーション１８０の様々な機能を表示するおよび／またはそれらの機能と対話するためのカスタムまたはカスタマイズ可能インタフェースを含むことがある。他の実装形態では、ＧＵＩ１９０は、システム１００の任意の他の部分を表示するおよび／またはそれらの部分と対話するために利用されてもよい。
【００３０】
動作中、レーザ光凝固処置のために患者の準備が行われることがある。顕微鏡１４０は、網膜の画像を取得するために、患者の眼に対して所定の位置に配置されることがある。この網膜画像は、外科医または他の医療専門家などのユーザに、網膜の一部分の画像を提供することがある。顕微鏡１４０は、眼の角膜および水晶体を通して網膜の画像を取得することができる。
【００３１】
撮像デバイス１３０は、網膜組織の視覚化を行うために利用されることがある。いくつかの場合には、撮像デバイス１３０は、撮像データを取得するために患者の眼に導入されることがある。他の場合には、撮像デバイス１３０は、顕微鏡１４０の一部を成し、眼の角膜および水晶体を通して撮像データを取得することがある。視覚化は、網膜組織の少なくとも一部の撮像データを取得することを含むことがある。撮像データは、網膜異常を判断するために使用されることがある。この撮像データは、ＯＣＴデータ、赤外線撮像データ、網膜トポグラフィデータ、または網膜異常の存在を取得または判断するために使用可能な任意の他のタイプのデータでよい。いくつかの場合には、撮像デバイス１３０は、レーザ光凝固処置の前に撮像を行うために使用されることがある。いくつかの場合には、撮像デバイス１３０は、レーザ光凝固処置中に撮像データを取得するために使用されることがある。いくつかの実装形態では、撮像デバイス１３０は、レーザ光凝固処置前と処置中の両方に撮像データを取得するために使用されることがある。この例として、ＯＣＴプローブの文脈で撮像デバイス１３０を述べる。しかし、これは例示のためにすぎず、説明したように、撮像デバイス１３０は、網膜または他の眼組織における異常を検出するために使用することができるデータを取得するための任意のデバイスでよい。
【００３２】
いくつかの場合には、撮像デバイス１３０は、眼の外部にある状態で網膜撮像データを検知するように適合されることがある。例えば、いくつかの場合には、撮像デバイス１３０は、顕微鏡１４０の一部を成し、眼の外部にある状態で顕微鏡１４０を通してＯＣＴデータを取得することがある。いくつかの実装形態では、網膜撮像データを取得するために、撮像デバイス１３０の少なくとも一部が眼に挿入されることがある。撮像デバイス１３０は、リアルタイム撮像データを取得するために使用されてよい。他の場合には、撮像デバイス１３０によって提供される撮像データは、術前に取得されてもよい。撮像データは、デジタル形式で収集されることがあり、後で分析することができる。いくつかの実装形態では、生の画像データがビデオモニタまたは他の提示デバイスに表示されることがある。例えば、生の画像データは、ディスプレイ１５０または接眼レンズ１４５に表示されることがある。さらに、撮像データは、例示的なシステム１００のメモリデバイス１７０などに記憶されてもよい。
【００３３】
図２は、患者の網膜２１０の例示的な画像２００を示す。画像２００は、メインビュー２２０および詳細図２３０を含む。いくつかの実装形態では、画像２００は、ディスプレイ１５０および／または接眼レンズ１４５に表示されることがある。いくつかの実装形態では、画像２００は、ＧＵＩ１９０の一部を成していてよく、または他の形でＧＵＩ１９０によって示されてもよい。網膜２１０の画像は、顕微鏡１４０によって取得されることがある。
【００３４】
画像２００は、メインビュー２２０において網膜２１０の一部分に沿って延びる線２４０も含む。詳細図２３０は、撮像デバイス１３０からの撮像データを表示する。この例では、詳細図２３０は、線２４０に沿った網膜２１０のＯＣＴデータ（例えば深さ情報）を示す。ＯＣＴデータは、断層撮像データを提供し、このデータは、例えば、網膜異常を検出するために使用することができる輪郭、形状、層、および／または色の情報を含むことがある。上述したように、他のタイプのデータを検出または生成するための他のタイプのセンサを用いて網膜異常を検出することもできる。いくつかの実装形態では、異常は、１つまたは複数のアルゴリズムに従ってシステム１００によって自動的に検出することもできる。１つまたは複数のアルゴリズムは、レーザ制御アプリケーション１８０または何らかの他のアプリケーションの一部を成すことがある。
【００３５】
以下、網膜異常を検出するための例示的なアルゴリズムについて述べる。いくつかの場合には、網膜の位置のＯＣＴデータを取得し；ＯＣＴデータをセグメント化し；セグメント化されたＯＣＴデータに基づいて測定基準を生成し；生成された測定基準に基づいて網膜異常を検出することによって、異常が検出されることがある。網膜異常の検出は、例えば聴覚的に、視覚的に、触覚的に、またはそれらの組合せで示されることがある。ＯＣＴデータは、ＯＣＴ画像データの形でよい。アルゴリズム３００の文脈で網膜異常を論じるが、本発明の範囲はこれに限定されない。本明細書で述べるアルゴリズムは、例えば網膜血管など他の網膜特徴部を検出するために利用することもできる。
【００３６】
図３は、システム１００など眼科システムを使用して網膜特徴部を自動的に検出するための例示的なアルゴリズム３００の流れ図を提供する。アルゴリズム３００の使用によって、本明細書で述べるような網膜異常を検出することができる。しかし、本発明の範囲はそれに限定されず、本明細書で述べるアルゴリズムを使用して、本明細書で述べるもの以外の網膜異常を検出することもできる。
【００３７】
ステップ３０２で、アルゴリズム３００は、網膜のＯＣＴ画像を取得することを含むことがある。ステップ３０４で、アルゴリズム３００は、ＯＣＴ画像をセグメント化することを含むことがある。ステップ３０６で、アルゴリズム３００は、セグメント化されたＯＣＴ画像に基づいて測定基準を生成することを含むことがある。ステップ３０８で、アルゴリズム３００は、測定基準に基づいて網膜異常を検出することを含むことがある。ステップ１１０で、アルゴリズム３００は、検出された網膜異常の標示をユーザに提供すること（ステップ１１０）を含むことがある。アルゴリズム３００のステップは、眼科撮像システムの１つまたは複数の構成要素によって実施されることがある。例えば、図１に示されるシステム１００を使用することができる。さらに、アルゴリズム３００は、撮像システム１００に記憶されているアプリケーションに組み込まれていてもよい。例えば、アルゴリズム３００の全てまたは一部が、レーザ制御アプリケーション１８０の一部を成すことがある。いくつかの場合には、アルゴリズム３００は、１つまたは複数の異なるアプリケーションの一部を成すことがあり、またはアルゴリズム３００は、別個のアプリケーションの形でもよい。
【００３８】
ＯＣＴシステムは、光源から受け取った撮像光を、（例えば撮像プローブによって）標的生物組織に向けられる撮像ビームと、参照ミラーに向けることができる参照ビームとに分割するように構成されることがある。ＯＣＴシステムは、フーリエ領域（例えばスペクトル領域もしくは波長掃引型など）または時間領域システムでよい。ＯＣＴシステムは、標的生物組織から反射された（例えば撮像プローブや外部ＯＣＴシステムなどによって捕捉された）撮像光を受け取るようにさらに構成されてもよい。反射された撮像光と参照ビームとの干渉パターンを利用して、標的生物組織の画像を生成する。したがって、ＯＣＴシステムは、干渉パターンを検出するように構成された検出器を含むことがある。検出器は、電荷結合素子（ＣＣＤ）、画素、または検出された光に基づいて電気信号を発生する任意の他のタイプのセンサのアレイを含むことがある。さらに、検出器は、２次元センサアレイおよび検出器カメラを含むこともある。
【００３９】
いくつかの場合には、ＯＣＴデータは、２次元ＯＣＴ画像の形でよい。いくつかの場合には、ＯＣＴデータは、３次元ＯＣＴ画像の形でよい。図４Ａは、網膜４０２の一部分の２次元ＯＣＴ画像４００を示し、図４Ｂは、網膜４０２の一部分の３次元ＯＣＴ画像４５０を示す。図４Ａおよび４Ｂの右側に、網膜裂孔４０８が見える。本明細書で述べるシステム、方法、およびデバイスを使用して、網膜裂孔４０８および他の網膜異常を自動的に検出することができる。図４Ａおよび４Ｂの左側に、血管４１２が見える。したがって、本明細書に記載のシステム、方法、およびデバイスを使用して、例えば血管など他のタイプの網膜特徴部も自動的に検出することができる。
【００４０】
ＯＣＴ画像は、セグメント化されることがある。ＯＣＴ画像をセグメント化することは、網膜の様々な層を識別することを含む。例えば、システム１００は、ＯＣＴ画像に関連するデータを使用して１つまたは複数の網膜層を識別することがある。ＯＣＴ画像をセグメント化することは、内境界膜（ＩＬＭ）、神経線維層、神経節細胞層、内網状層、内核層、外網状層、外核層、外境界膜、桿状体および錐状体の層、網膜色素上皮（ＲＰＥ）、および／または他の網膜層を識別することを含むことがある。図５Ａは、ＩＬＭ層５０４とＲＰＥ層５０６の境界が識別されている網膜４０２の２次元ＯＣＴ画像５００を示す。同様に、図５Ｂは、ＩＬＭ層５０４とＲＰＥ層５０６の境界が識別されている網膜４０２の３次元ＯＣＴ画像５５０を提供する。
【００４１】
セグメント化されたＯＣＴ画像に基づいて、網膜に関連する１つまたは複数の測定基準が生成されることがある。測定基準は、例えば１つまたは複数の数値を使用して１つまたは複数の網膜層の幾何形状を客観的に表す網膜層パラメータでよい。いくつかの場合には、網膜層パラメータは、１つもしくは複数の網膜層の厚さ、強度、強度勾配、位相、スペックルサイズ、血管密度、血流速度、酸素化、弾性、複屈折性、サイズ、体積、凹度／凸度、および／または曲率半径でよい。例えば、測定基準を生成することは、ＩＬＭの凹度／凸度の数値表現を決定することを含むことがある。例えば、網膜異常の領域におけるＩＬＭの曲率半径が決定されることがある。網膜層パラメータは、任意の数の網膜層を使用して決定することができる。例えば、網膜層パラメータは、任意の１つ、２つ、３つ、４つ、または５つ以上の網膜層を使用して決定することができる。測定基準を生成することは、例えばＩＬＭおよびＲＰＥを使用して網膜神経感覚上皮の厚さを決定することを含むことがある。例えば、網膜神経感覚上皮の厚さは、ＩＬＭとＲＰＥの間の距離を含むことがある。厚さの数値表現が測定基準として使用されることがある。いくつかの場合には、網膜層パラメータは、１つの網膜層と、１つの網膜層を取り囲む所定の厚さの線条部とを使用して決定されることがある。網膜を評価するために、１つ、２つ、または３つ以上の測定基準が生成されて利用されることがある。
【００４２】
１つまたは複数の網膜異常を検出することは、生成された測定基準に基づくことがある。検出される網膜異常は、欠陥を示す網膜の構造的態様でよい。例えば、網膜異常は、裂孔、穴、裂傷、離断、増殖、突出、凹み、網膜下液を有する領域などでよい。複数の網膜異常、およびいくつかの場合にはそれらのタイプが検出されることがある。網膜異常は、１つまたは複数の測定基準を使用して検出されることがある。例えば、網膜神経感覚上皮の厚さおよびＩＬＭの凹度／凸度が利用されることがある。２つ以上の測定基準を利用することは、有利には、網膜異常検出の確実性を高めることができる。
【００４３】
網膜異常を検出することは、網膜層パラメータを閾値と比較することを含むことがある。例えば、生成された測定基準が網膜神経感覚上皮の厚さを含むとき、網膜異常を検出することは、厚さを閾値厚さと比較することを含むことがある。いくつかの場合には、とりわけ網膜神経感覚上皮の厚さなどの網膜層パラメータが閾値よりも大きいまたは小さいとき、網膜異常が検出されることがある。例えば、厚さが閾値未満であるとき、網膜裂孔または網膜孔が検出されることがある。他方、厚さが閾値よりも大きいとき、網膜の増殖または突出が検出されることがある。閾値の厚さは、例えば、５０ミクロン〜３００ミクロンの範囲；７５ミクロン〜３００ミクロンの範囲；１００ミクロン〜２５０ミクロンの範囲；または他の適切な範囲内でよい。一般に、厚さは網膜に沿って変化する。例えば、網膜は、中心窩、末梢網膜、もしくは他の位置で、またはその付近で厚さが変化することがある。その結果、網膜異常がある網膜に沿った位置に基づいて閾値を選択することができる。
【００４４】
生成された測定基準を使用して網膜異常を検出することは、とりわけＩＬＭなど１つまたは複数の網膜層が凹形状もしくは凸形状および／または凹度もしくは凸度（例えば曲率半径）を有するかどうかを判断することを含むことがある。例えば、網膜異常の領域での凹形のＩＬＭは、網膜裂孔または網膜孔を示すことがあり、一方、凸形のＩＬＭは、網膜での増殖または突出を示すことがある。したがって、網膜異常を検出することは、網膜異常の領域でのＩＬＭの曲率半径を、網膜異常の存在を示す閾値曲率半径と比較することを含むことがある。曲率半径が閾値よりも大きいまたは小さいとき、網膜異常が検出されることがある。例えば、ＩＬＭの凹部が閾値未満の曲率半径を有するとき、網膜裂孔または網膜孔が検出されることがある。網膜裂孔を検出するための閾値曲率半径は、例えば、約０．１ｍｍ〜約１２ｍｍの範囲；約１．０ｍｍ〜約６ｍｍの範囲；または約２．０ｍｍ〜約４．０ｍｍの範囲でよく、例えば１０ｍｍ、９ｍｍ、８ｍｍ、７ｍｍ、６ｍｍ、５ｍｍ、４ｍｍ、３ｍｍ、２ｍｍ、１ｍｍ、または他の適切な値を含む。網膜異常を検出するために、凹度または凸度と、対応する曲率半径との組合せを利用することもできる。
【００４５】
網膜異常を検出するのに使用される閾値は、適応性または患者特有でよい。例えば、閾値は、隣接する領域と比較した網膜神経感覚上皮の厚さのパーセンテージ差でよい。したがって、患者の網膜神経感覚上皮の領域が、隣接する領域の厚さの例えば５０％よりも大きいまたは小さい厚さを有するときに、網膜異常が検出されることがある。同様に、ＩＬＭの曲率半径が、隣接する領域の曲率半径の例えば５０％よりも大きいまたは小さいときに、網膜異常が検出されることがある。閾値は、例えば１％〜１００％の間、１％〜７５％の間、１％〜５０％の間、１％〜２５％の間などでよい。網膜神経感覚上皮の厚さおよびＩＬＭの曲率半径を論じたが、これらは単に例として使用されている。したがって、本開示の範囲はそれに限定されない。他の測定基準（例えば、網膜の他の層の厚さもしくは曲率半径）または他の網膜特性（例えば、上述した特性もしくは他の特性の１つまたは複数）を使用して、網膜異常を位置特定および識別することができる。
【００４６】
１つまたは複数の閾値は、実験データに基づいて選択されることがある。例えば、患者の網膜データの集合またはデータベースを使用して、正規化またはベースライン網膜データを決定することができる。このベースラインデータを使用して、網膜異常を検出するために閾値を得ることができる。例えば、網膜神経感覚上皮の正常な厚さ範囲を決定するために、同様の特性を有する患者の網膜神経感覚上皮の厚さ測定値を含むデータベースが使用されることがある。この正常な厚さ範囲を使用して、網膜神経感覚上皮に関する閾値厚さ値を生成することができる。したがって、患者の網膜神経感覚上皮の一領域が、その患者において予想される正常範囲外の（例えば正常範囲よりも大きいまたは小さい）厚さを有するとき、網膜異常が検出されることがある。いくつかの場合には、そのような実験データは、デフォルト閾値を決定するために使用されることもあり、このデフォルト閾値は、患者特有の特性に基づいて調整されることがある。この論述では網膜神経感覚上皮の厚さを具体的に述べているが、他の特性、例えば凹度もしくは凸度、もしくは曲率半径、および／または他の測定基準も同様に患者特有であり得るか、またはより一般的に適用可能であり得ることを理解されたい。
【００４７】
図６は、網膜神経感覚上皮の厚さプロファイルを表すグラフ６００を示す。グラフ４００に関連するデータは、セグメント化されたＯＣＴ画像に基づくことがある。グラフ４００のｘ軸は、網膜神経感覚上皮に沿った位置を画素単位で表す。ｙ軸は、網膜神経感覚上皮の厚さを画素単位で表す。曲線２０６は、網膜に沿ったＲＰＥからのＩＬＭの距離を表す。グラフ４００に示される網膜神経感覚上皮の厚さは、網膜裂孔２０８を検出するために使用される測定基準となり得る。網膜裂孔２０８は、隣接する領域とは著しく厚さが異なる（例えば５０％未満の）網膜神経感覚上皮に沿った領域、および／または一定の正常範囲未満の厚さを有する領域であり得る。この論述では網膜神経感覚上皮の厚さに具体的に言及しているが、網膜裂孔または他の網膜異常を検出するために、凹度／凸度、曲率半径、および／または他の測定基準も同様に使用することができることを理解されたい。
【００４８】
検出された網膜異常の標示がユーザに提供されることもある。聴覚、視覚、および／または触覚標示を提供するための１つまたは複数のデバイスを使用して、聴覚、視覚、および／または触覚標示が提供されることがある。例えば、図１に示されるディスプレイ１５０を利用して、検出された網膜異常の視覚的標示を提供することができる。この標示は、検出された網膜異常の存在および／または位置を外科医などのユーザに警告するために使用されることがある。特に、この標示は、外科処置の過程において、検出された網膜異常をユーザに警告するために利用することができる。図７Ａに示されるように、２次元ＯＣＴ画像７００は、検出された網膜裂孔２０８の標示７１０を含む。標示７１０などの視覚的標示は、検出された網膜異常に関連して位置決めされた幾何学的物体の形状でよい。例えば、いくつかの場合には、標示は、網膜裂孔４０８の周りに位置決めされた正方形、円形、多角形、楕円形、または任意の他の幾何学的形状での幾何学的表現でよい。いくつかの場合には、標示７１０は、図４Ａに示されるＯＣＴ画像２００などのＯＣＴ画像にオーバーレイされる、および／または他の形で合成されることがあり、合成されたＯＣＴ画像は、ディスプレイ１５０などの出力デバイスに出力されることもある。他の場合には、他のタイプの標示を単独で、または互いに組み合わせて使用することもできる。
【００４９】
いくつかの場合には、標示は、検出された網膜異常の形状に基づく形状を有することもある。例えば、図７Ａに示されるように、標示７１０は、検出された網膜裂孔２０８を取り囲むことがある。いくつかの場合には、標示は、検出された網膜異常に一致するまたは対応する形状を有することもある。例えば、図７Ｂに示されるように、標示７１０は、眼底画像７０２など眼の眼底画像にオーバーレイされる、および／または他の形で合成されることもある。合成された眼底画像は、ディスプレイ１５０に出力されることもある。ここでも、網膜異常を示すために、聴覚および／または触覚など他のタイプの出力をユーザに提供することができる。
【００５０】
図７Ｃは、検出された網膜異常に基づいて生成される疑似カラーマップ７０４を示す。図示される例では、疑似カラーマップ７０４は、網膜裂孔４０８に基づいて生成される。疑似カラーマップ７０４は、網膜の所与の位置での網膜異常の存在の可能性を表すことがある。標示７１０は、網膜異常が存在する可能性が高い疑似カラーマップ７０４の領域を表すことがある。疑似カラーマップ７０４は、例えばディスプレイ１５０に出力されることがある。
【００５１】
いくつかの実装形態では、標示７１０などの標示は、他の情報を含むこともある。例えば、標示は、テキスト、１つもしくは複数の他の形状もしくは記号、および／または他の視覚的警告を含むことがある。標示は、網膜異常に対して様々に位置決めされることがある。標示は、検出された網膜異常の存在および／または位置をユーザ／外科医に警告するために聴覚信号を含むことがある。標示は、外科医への触知および／または触覚フィードバックを含むことがある。
【００５２】
再び図２を参照すると、画像２００は、線２４０に沿った位置にあるカーソル２５０も含む。カーソル２５０の別の表現も、詳細図２３０内の網膜２１０に沿った位置に示されている。メインビュー２２０内のカーソル２５０の位置は、詳細図２３０内のカーソル２５０の位置にリンクされ、それにより、メインビュー２２０内のカーソル２５０の位置は、詳細図２３０に示される網膜２１０に沿った同じ位置に対応する。すなわち、メインビュー２２０内のカーソル２５０によって示される網膜２１０の位置は、詳細図２３０内のカーソル２５０によって識別される網膜２１０上の位置と同じである。したがって、メインビュー２２０内のカーソル２５０の位置の変化は、詳細図２３０内のカーソル２５０の位置の変化として反映され、その逆も同様である。
【００５３】
ユーザは、入力デバイスを用いてカーソル２５０の位置を変更することができる。例えば、ユーザは、スタイラスまたは他のデジタル入力デバイスを使用することができる。カーソル２５０の使用によって選択される位置は、提示された撮像データとの入力デバイスの対話によって識別されることがある。例えば、スタイラスでディスプレイ１５０にタッチすることによって位置が識別されることがある。スタイラスによってタッチされた位置が、選択された治療位置として識別されることがある。治療位置を選択するために他の入力デバイスを使用することもできる。例えば、マウス、キーボード、またはタッチスクリーンを使用することができる。次いで、選択された治療位置は、網膜での特定の位置とレジストレーションされてデジタルで記憶されることがあり、例えば、患者の眼の位置と選択された治療位置の位置との間の適正なレジストレーションを維持する。いくつかの実装形態では治療位置は手動で選択されることがあるが、他の実装形態では、システム１００によって１つまたは複数の選択された治療位置を自動的に決定することができる。
【００５４】
いくつかの実装形態では、選択された治療位置と網膜２１０のリアルタイム画像とのレジストレーションは、網膜追跡デバイスを用いて取得することができ、ここで、網膜追跡は、移動または顕微鏡調整により、患者の眼の向きに関係なく治療位置を常にユーザに提供することを容易にする。
【００５５】
いくつかの実装形態では、網膜追跡デバイスは、眼底撮像装置と、レジストレーションおよび追跡計算機とを含むことがある。例示的な眼底撮像装置としては、光学カメラ、ラインスキャン画像を取得するように動作可能なラインスキャン検眼鏡、および共焦点走査検眼鏡が挙げられる。網膜画像を取得するために他の撮像技術を使用することもできる。眼底撮像装置は、例えば、撮像デバイス１３０の一部でよく、または撮像デバイス１３０の一部を成していてもよい。代替として、いくつかの場合には、眼底撮像装置は、撮像デバイス１３０とは別個の撮像でもよい。
【００５６】
眼底撮像装置は、ライブ、すなわちリアルタイム網膜画像を獲得することがある。レジストレーションおよび追跡計算機は、ライブ網膜画像を受信し、前もって取得されている網膜画像と比較することができる。例えば、術前に取得された網膜画像が、前もって取得されている網膜画像として使用されることがある。レジストレーションおよび追跡計算機によって、比較される画像間の相違が検出されることがある。これらの相違は、２つの画像が取得された時点の間の時間に生じた眼の動きを示すことがある。次いで、レジストレーションおよび追跡計算機は、選択された治療位置の表現の位置を調整することができ、選択された治療位置が、網膜２１０の画像における網膜の適切な位置に対して正確に位置決めされたままであるようにする。したがって、選択された治療位置は、治療のために選択された網膜での実際の位置にレジストレーションされたままである。
【００５７】
例示的な網膜追跡デバイスは、“Ａ  ｎｅｗ  ｒｅａｌ−ｔｉｍｅ  ｒｅｔｉｎａｌ  ｔｒａｃｋｉｎｇ  ｓｙｓｔｅｍ  ｆｏｒ  ｉｍａｇｅ−ｇｕｉｄｅｄ  ｌａｓｅｒ  ｔｒｅａｔｍｅｎｔ”，  ＩＥＥＥ  Ｔｒａｎｓ  Ｂｉｏｍｅｄ  Ｅｎｇ．  ２００２；  ４９（９）：１０５９−６７で述べられている網膜追跡システムと同様でよい。その内容の全体を参照により本明細書に援用する。そのような網膜追跡システムは、眼底撮像装置と、追跡およびレジストレーション計算機とを含む。眼底撮像装置は、網膜のリアルタイム画像を獲得し、そのデータを追跡およびレジストレーション計算機に転送する。追跡およびレジストレーション計算機は、眼底撮像装置からライブ網膜画像を受信し；受信された網膜画像を処理し；処理された網膜画像を前もって取得されている処理済みの網膜画像と比較し；網膜の動きの情報を決定するために２つの画像間の網膜での１つまたは複数の特徴部の位置の相違を計算することによって、２つの網膜画像が撮影された時点の間に網膜が移動したかどうかを判断し；治療位置が網膜での対応する位置に正確に関連付けられたままであるように、選択された治療位置の位置を調整する。したがって、選択された治療位置は、網膜２１０と治療システム１００との相対運動にも関わらず、網膜画像上に適切に位置されたままである。
【００５８】
上述したように、眼底撮像装置は、網膜のライブ画像を捕捉することがある。いくつかの実装形態では、眼底撮像装置は、網膜のリアルタイム画像を捕捉し、追跡およびレジストレーション計算機を連続的に動作させて、選択された治療位置のレジストレーションをリアルタイムで維持し、それにより、連続的に生じていることがある眼の動きを補償する。
【００５９】
上述したように、眼底撮像装置によって取得された網膜画像は、リアルタイム画像でよい。リアルタイム網膜画像の処理は、例えば、網膜に関連する１つまたは複数のパラメータを識別するために、画像のデータの１つまたは複数の態様を強調することを含むことがある。次いで、１つまたは複数のパラメータが、網膜の特徴および／または特性を検出するために使用される。
【００６０】
リアルタイム網膜画像の処理は、画像フィルタリングを含むことがある。画像フィルタリングは、画像データに含まれるノイズを除去するために利用されることがある。いくつかの場合には、画像フィルタリングは、ノイズを低減するために画像にわたって移動窓を適用することによって達成されることがある。処理は、網膜の特徴付けを含むこともある。いくつかの場合には、網膜の脈管構造特性を識別するために網膜画像の処理が使用されることがある。例えば、処理は、網膜画像内の血管を抽出して識別する血管セグメンテーションを含むこともある。血管は、網膜の血管と非血管領域との間の縁部に基づいてセグメント化することができる。処理は、血管枝および交差の識別を含むことがあり、これは、網膜内の血管枝が同じ網膜領域内で互いに接近または交差する場所を識別することを含むことがある。検出される他のパラメータには、血管形状；視神経乳頭の形状、位置、または中心；および中心窩の位置を含むことがある。他の網膜特徴部を使用することもできる。
【００６１】
次いで、異なる網膜画像内の同一の特徴部を位置特定して合致させるために、血管枝および交差などの識別されたパラメータが、前もって取得されている網膜画像のパラメータと比較される。この比較に基づいて、追跡およびレジストレーション計算機は、異なる網膜画像の獲得間の時間に網膜が行った動きの数学的表現である変換行列を計算する。したがって、この変換行列は、２つの網膜画像間の網膜の位置の相違を数学的に表す。計算された追跡およびレジストレーションは、変換行列を適用して、顕微鏡の接眼レンズおよび／または別のディスプレイに表示されることがあるリアルタイム網膜画像上の選択された治療位置を調整する。
【００６２】
図２は、単一の線２４０を示すが、画像２００は複数の線を含んでいてもよい。さらに、これらの線は、ユーザによって、またはアルゴリズムに従って、任意の所望の向きで指定されることがある。例えば、いくつかの場合には、ＯＣＴデータを定義する線は、眼科外科処置中にリアルタイムで定義されることがある。上述したように、ＯＣＴデータは、撮像プローブ１３０を用いた外科処置中に取得されることがある。上で説明したように、撮像プローブ１３０は、顕微鏡１４０などの顕微鏡の一部を成していてよく、または別個のデバイスの一部を成していてもよい。他の場合には、ＯＣＴデータは、術前に決定されることもある。術前に取得されたＯＣＴデータは、外科処置中に取得されたリアルタイム画像２００とレジストレーションされることがある。したがって、術前に取得されたＯＣＴデータは、ＯＣＴデータが表す網膜の部分と位置合わせされるように正確に位置される。さらに他の実装形態では、リアルタイムＯＣＴと術前に取得されたＯＣＴとの両方を一緒に使用することができる。
【００６３】
線２４０に沿って取得された詳細図２３０に示されるＯＣＴデータを再び参照すると、カーソル２５０は、例えばユーザによって、線２４０に沿った任意の点に移動されることがある。ユーザは、レーザ光凝固治療が適用されることがある線２４０に沿った１つまたは複数の位置を選択することができる。例えば、図２は、例示的な選択された治療位置２６０、２７０、および２８０を示す。３つの選択された治療位置が示されているが、追加のまたはより少数の選択された治療位置が存在してもよく、および／または選択されてもよい。選択された治療位置は、メモリ（図１に示されるメモリ１７０など）に記憶されることがある。さらに、選択された治療位置の位置は、例えば眼球追跡デバイスの使用によって、網膜画像とレジストレーションされることもある。したがって、いくつかの場合には、外科医または他の医療専門家などのユーザが治療対象の網膜での１つまたは複数の位置を選択すると、それらの選択された位置がレジストレーションされ、患者の向き、眼の動き、顕微鏡の位置、ズームまたはフォーカスの設定、またはそれらの変更に関係なく、選択された位置に関連付けられたままである。
【００６４】
他の実装形態では、選択される治療位置は、システム１００によって自動的に選択することができる。例えば、いくつかの実装形態では、レーザ制御アプリケーション１８０または別のアクティブなアプリケーションは、ユーザからの入力なしに、網膜異常の疑いがある部分を検出するように動作可能なアルゴリズムを含むことがある。例えば、網膜異常は、網膜の１つまたは複数の画像の使用によって自動的に識別することができる。上で論じた例示的なアルゴリズムは、網膜異常を識別するためにＯＣＴ画像データを利用するが、網膜異常を検出するために他のタイプの画像データを使用することもできる。例えば、網膜の微小血管異常が、フルオレセイン血管造影やＯＣＴ血管造影画像などの血管造影画像に基づいて自動的に検出されることがある。いくつかの場合には、フラクタル解析に基づいて微小血管パターンおよび密度を定量化することができる。フラクタル解析は、画像のデータ密度を決定する数学的プロセスである。フラクタル解析は、データセットのフラクタル次元または他のフラクタル特性を解析するために使用される。例えば、画像に含まれるセグメント化された血管のフラクタル解析を行うことにより、血管密度情報を得ることができる。血管の存在は、上で論じた様式で決定することができる。
【００６５】
フラクタル解析は、ボックスカウンティング法を使用することによって実現されることがある。ボックスカウンティングでは、網膜画像は、サイズが減少していく一連の正方形のボックスでオーバーレイされる。網膜血管の少なくとも１つの画素を含むボックスの数が計数される。ボックスの数とボックスのサイズとの間の最小二乗回帰曲線の傾きが、網膜の血管密度を表すフラクタル次元を生み出す。特定の値の血管密度が、特定のタイプの異常を表すことがある。さらに、異なる異常は、異なる血管密度値によって表されることがある。システム１００は、検出された血管密度に基づいて網膜異常を自動的に識別することがある。例えば、いくつかの場合には、ルックアップテーブルを使用して異常を判断することができる。レーザ制御アプリケーション１８０など、システム１００上で動作するアプリケーションは、１つまたは複数の異常タイプおよびその対応する血管密度値を含むことがあるルックアップテーブルを含むことがある。血管密度が網膜画像から決定されると、システムは、それに関連する網膜異常を自動的に予測することができる。いくつかの場合には、システム１００は、以下でより詳細に説明するように治療位置を識別し、その治療位置に治療エネルギーを加えることによって、予測された異常を自動的に治療することがある。他の場合には、システム１００は、予測された異常をユーザに提示し、さらなるユーザ入力を待機することがある。
【００６６】
フラクタル解析は、その領域の血管密度またはパターンを表す領域フラクタル次元を生じることができる。説明したように、領域フラクタル次元は、血管異常を検出するためのパラメータとして使用されることがある。網膜異常を検出するために他の技法を使用することもできる。例えば、いくつかの場合には、異常な機能を有する網膜の位置を識別するために、例えば血管酸素飽和度、フルオレセイン血管造影データ、および３Ｄ  ＯＣＴ画像データが定量化されることがある。
【００６７】
微小血管異常は、術前に獲得されたフルオレセイン血管造影（「ＦＡ」）画像を使用して検出されることがある。術前に獲得されたＦＡ画像は、リアルタイム網膜画像とレジストレーションされ、リアルタイム網膜画像上にオーバーレイされることがある。レジストレーションされた術前に獲得されたＦＡ画像を伴うリアルタイム網膜画像は、ディスプレイ１５０などのディスプレイ上に、または顕微鏡１４０の接眼レンズ１４５など顕微鏡の接眼レンズ内で提示される顕微鏡ビューに表示されることがある。リアルタイム網膜画像上にレジストレーションされた術前に獲得されたＦＡ画像は、オーバーレイされたリアルタイム画像と表すこともできる。血管新生の領域は、オーバーレイされたリアルタイム網膜画像内の明るい領域として提示されることがある。血管新生の領域を識別するために、眼底ＦＡ信号の適応的閾値を使用することができる。
【００６８】
閾値設定は、画像に含まれる物体を、やはりその画像に含まれる背景からセグメント化するための好都合な方法である。その背景が比較的均一である場合、グローバル閾値を使用して、画素強度によって画像を２値化することができる。したがって、グローバル閾値は、画像内の物体を背景と区別して識別するために画像全体にわたって適用される単一の閾値である。適応的閾値は、画像に適用される閾値が変化する閾値である。画像の背景強度に大きなばらつきがある場合、適応的閾値設定（局所的または動的閾値設定としても知られている）は、より良好な結果を生み出すことがある。適応的閾値設定は、各画素または画素群を取り囲む画像領域内の閾値を計算する。これらの領域は、「局所近傍」と呼ばれることもある。特定の画素に適用される閾値は、局所近傍の加重平均からオフセット値を引いた値であり、適応的閾値と呼ばれることがある。一般に、オフセット値は、予め設定された数値である。オフセット値は、より良いセグメンテーション結果のために最終的な閾値を調整および微調整する融通性を与える。画素に関連する値を適応的閾値と比較して、網膜の特性に関する有用な情報を決定し、網膜の画像内の物体を識別することができる。
【００６９】
本明細書で述べる技法を使用して識別されることがある網膜の別の特性は、毛細血管の無灌流である。毛細血管の無灌流領域は、画像内の周囲の組織に比べて暗いまたはさらには黒色の領域として提示されることがある。面積平均信号強度の閾値を使用して、毛細血管の無灌流領域を識別することができる。すなわち、測定された平均信号強度が毛細血管の無灌流領域の存在を示すかどうかを判断するために、平均信号強度の閾値を利用することができる。いくつかの場合には、この閾値は適応的閾値でよい。いくつかの場合には、閾値はグローバル閾値でよい。識別された血管新生または毛細血管の無灌流領域に基づいて、血管に関する異常マップを作成することができる。
【００７０】
別の実装形態では、微小血管異常検出アルゴリズムは、３Ｄ  ＯＣＴ画像に基づくことがある。３Ｄ  ＯＣＴ情報に基づいて、全３Ｄ網膜脈管網を再構成することができる。次いで、微小血管パターンおよび密度は、その領域の血管密度および血管異常を特徴付ける領域フラクタル次元を生成するフラクタル解析に基づいて定量化される。
【００７１】
例示的な異常としては、静脈閉塞、黄斑浮腫、微小血管異常、網膜裂孔および裂傷、眼腫瘍などを挙げることができる。したがって、システム１００は、網膜異常の疑いがある部分を識別し、網膜異常の疑いがある部分に関して１つまたは複数の選択された治療位置を選択するように動作可能でよい。システム１００などのシステムによって自動的に識別された治療位置は、さらなる治療オプションのさらなる作成の前の閲覧および／または修正のために、外科医などのユーザに提示されてもよい。
【００７２】
システム１００などのレーザ光凝固システムによって自動的に識別される選択される治療位置は、１つまたは複数の因子または入力に依存することがある。例えば、システムは、受信された網膜情報を治療計画アルゴリズムに入力することがある。治療計画アルゴリズムは、受信された網膜データによって示唆される病理学的問題または異常を返すことができる。識別された病理学的問題または異常に基づいて、治療計画アルゴリズムは、例えば光凝固治療エネルギーを受けるように１つまたは複数の治療位置を選択することによって治療計画を提案する。例えば、網膜裂孔または裂傷が治療計画アルゴリズムによって識別される場合、１つまたは複数の治療位置が、リアルタイム網膜画像などの網膜画像とレジストレーションして網膜画像上に示されることがある。網膜裂孔または裂傷の場合、選択された治療位置は、裂孔または裂傷を取り囲むように配置されることがある。微細動脈瘤の場合、治療計画アルゴリズムによって自動的に選択される１つまたは複数の治療位置は、微細動脈瘤が識別された網膜の位置に直接位置されることがある。
【００７３】
いくつかの場合には、システムは、治療が適用される前に自動的に選択された治療位置が許容できるものであることを確認するようにユーザに促す。他の場合には、治療計画アルゴリズムによる選択された治療位置の決定後、ユーザからの入力なしに治療が自動的に適用されることがある。
【００７４】
他のタイプの処置を行うために治療位置が選択されることもある。例えば、網膜復位術を行うために１つまたは複数の治療位置が選択されることがある。網膜復位術処置は、レーザエネルギーを網膜上のある位置に印加して、網膜を眼の後部に付着させる焼灼部を形成することを含む。網膜復位術は、様々な形で行われる。例えば、網膜復位術は、網膜での選択された経路に沿って（例えばレーザを連続的に発射することによって）レーザエネルギーを連続的に印加することを含むことがある。図１０および１１は、網膜復位術処置が実施される網膜の一部分を示す。
【００７５】
網膜復位術の選択される経路は、所望の長さを有することがある。また、経路は、少なくとも一部、円弧状もしくは直線状でよく、または任意の所望の形状を有することができる。図１０および１１に示されるように、それぞれ網膜１０１０および１１１０に沿った経路１０００および１１００は、概して湾曲形状を有する。他の場合には、網膜復位術が所望の経路に沿って定められることがあるが、レーザは、経路の１つまたは複数の部分のみに沿って発射されることがある。例えば、所望の経路に関して、選択された長さにわたってレーザ焼灼部が形成されることがあり、経路の別の長さは影響を受けない（すなわちレーザエネルギーがそこに印加されない）ことがあり、経路の別の部分にはやはりレーザエネルギーが印加されて網膜焼灼部が形成されることがある。図１１に示される経路１１００は、このタイプの治療を示す。経路１１００は、治療されない部分またはギャップ１１３０によって分離された複数のレーザ焼灼部１１２０を含む。したがって、任意の選択された経路に関して、経路の１つまたは複数の部分が、所望の長さにわたって網膜焼灼部が形成されるように選択されることがあり、治療されない部分（すなわち、レーザエネルギーで治療されず、したがって焼灼されない部分）も、任意の所望の長さを有することがある。さらに、選択された経路に関して、網膜焼灼を受けるように指定される各部分は、網膜焼灼を受けるように指定される任意の他の部分とは無関係に、任意の所望の長さを有するように選択することができる。したがって、いくつかの場合には、治療すべき経路の１つまたは複数の部分が異なる長さを有することがある。他の場合には、治療すべき経路の１つまたは複数の部分が同じ長さを有することもある。同様に、治療しない経路部分（例えば、治療すべき経路部分の間に位置された経路部分）も任意の所望の長さを有していてよい。したがって、いくつかの場合には、経路の１つまたは複数の治療されない部分が異なる長さを有することがある。他の場合には、経路の１つまたは複数の治療されない部分が同じ長さを有することもある。
【００７６】
本開示の範囲内にある１つの特定の非限定的な例示的な網膜復位術は、３６０°予防的網膜復位術である。３６０°予防的網膜復位術は、網膜またはその一部の全周に３６０°の網膜焼灼部を形成することを含む。３６０°予防的網膜復位術は、予防手段として実施されることがある。いくつかの場合には、眼科医などの医療専門家が、網膜の問題が生じるおそれがあるまたは生じる可能性が高いと考えた場合に、網膜の問題が生じる前に眼の後部に網膜を付着するために、別の眼科外科処置中に３６０°予防的網膜復位術が行われることがある。このタイプの予防手段は、後で眼に再進入する必要性をなくすために、眼科外科処置中に行われることがある。３６０°予防的網膜復位術が行われる選択される経路は、連続的でよく、または上で説明したように、１つまたは複数の治療される長さが１つまたは複数の治療されない長さによって分離されてもよい。さらに、予防的網膜復位術は、３６０°の経路に沿って形成される必要はない。経路は、３６０度未満でも、３６０度よりも大きくてもよい。さらに、経路の始点が経路の終点と同じである必要はない。
【００７７】
網膜復位術のための経路、および／または経路に沿った治療すべき位置の識別は、本明細書で述べる様々な様式で決定されることがある。さらに、経路へのレーザエネルギーの印加も、本明細書に開示されている様々な様式で適用されることがある。
【００７８】
治療対象の網膜での１つまたは複数の位置を検出するように動作可能なアルゴリズムは、検出された網膜異常を治療するためにレーザによって使用される１つまたは複数のレーザパラメータを決定するように動作可能でもよい。例えば、アルゴリズムは、選択された治療位置のそれぞれに印加すべきレーザ出力、選択された治療位置の１つまたは複数にレーザエネルギーが印加される持続時間、治療すべき選択された治療位置のサイズ、治療から除外すべき位置、および他のパラメータを決定するように動作可能でよい。
【００７９】
選択された治療位置の数およびサイズ、レーザ出力、ならびに任意の他のレーザパラメータなどの選択されたパラメータは、例えば、検出された網膜異常のタイプ、異常のサイズ、異常の重篤性、および／または任意の他の基準に基づいて自動的に決定されることがある。網膜異常の治療に関連する治療位置および他のレーザパラメータの選択は、アルゴリズムによって自動的に決定されるか、ユーザによって手動で決定されるかに関わらず、少なくとも一部は治療計画を定義する。アルゴリズムは、例えば、処置の有効性を改良し、処置の時間を短縮し、細胞壊死および視力喪失を最小限に抑え、発熱を減少するようにレーザパラメータを選択することによって、治療計画を最適化する。ユーザは、レーザ光凝固治療の適用前に、治療計画、特にアルゴリズムによって生成された治療計画を閲覧および／または修正することができる。
【００８０】
選択された位置にレーザ治療を正確に適用するために、治療計画が網膜２１０とレジストレーションされる。したがって、選択された位置２６０、２７０、および２８０などの選択された治療位置は、網膜２１０のリアルタイム画像とレジストレーションされ、それにより、レーザ光凝固治療が実施されるときに、治療が望まれる実際の位置がレーザビームによって照射される。レジストレーションは、例えば血管または黄斑など網膜特徴部を使用して視線追跡デバイスによって行われることがある。選択された治療位置の正確な位置決めは、網膜特徴部の位置および形状を参照して行うことができる。様々な視線追跡デバイスが当技術分野で知られている。
【００８１】
選択された位置は、様々な様式で表すことができる。例えば、選択された治療位置２６０および２７０（白丸）は、選択されているがまだ治療されていない位置を表し、選択された治療位置２８０（黒丸）は、選択され、治療済みの位置を表す。この例は、治療されていない位置を白丸として示し、治療済みの位置を黒丸として示すが、これらのインジケータは例として提供されているにすぎない。治療済みの位置と、治療されていない位置とを任意の所望の様式で示すことができる。例えば、治療済みの位置を治療されていない位置から区別するために、任意の所望の形状、色、テキスト、または任意の他のタイプの標示を有するシンボルを使用することができる。
【００８２】
図２は、レーザ標的標示２９０も示す。いくつかの場合には、レーザ標的標示は、網膜２１０から反射された光である。レーザ標的標示２９０を生成する反射光は、レーザ送達デバイス１２０から伝送されることがある。例えば、レーザ標的標示２９０を定めるためにレーザ送達デバイス１２０によって伝送される光は、レーザが発射された場合にレーザ送達デバイス１２０からのレーザが網膜２１０を照射する場所を識別する低エネルギー光でよい。いくつかの実装形態では、レーザ標的標示２９０は、レーザが網膜２１０を照射する位置を決定するためにユーザによって利用されることがある。いくつかの実装形態では、システム１００は、例えばグラフィック認識技術または他の画像処理技法によって、レーザ標的標示２９０を自動的に認識することがある。例えば、プロセッサ１６０は、表示された網膜２１０の画像上で標的を識別することができるソフトウェアを利用することがある。
【００８３】
他の実装形態では、レーザ標的標示２９０の網膜２１０での位置は、眼に対するレーザ送達デバイス１２０の位置の３次元データによって決定されることがある。網膜２１０でのレーザ標的標示２９０の位置は、例えば、網膜２１０の位置に対するレーザ送達デバイス１２０の長手方向軸および遠位端位置および／または軸の向きの追跡に基づいて決定されることがある。
【００８４】
１つまたは複数の線（線２４０など）に沿って取得されたＯＣＴデータ（または本明細書で論じられた、もしくは他の形で本開示の範囲内にある他のタイプのデータ）の使用により、選択された治療位置のマップまたはマトリックスが生成され、これは治療計画の一部を成す。図８は、例示的な画像８００を示す。画像８００は、メインビュー８１０を含み、これは図２に示されるメインビュー２２０と同様でよい。図示されていないが、画像８００は、詳細図２３０と同様の詳細図を含むこともある。この例では、図８は、図２に示されるのと同じ網膜２１０の部分を示す。
【００８５】
また、画像８００は、レーザ光凝固治療のための複数の選択された治療位置８２０および８３０も含む。選択される治療位置８２０および８３０はそれぞれ、図２に関して上で説明したように選択されることがある。さらに、図示される例では、選択された治療位置８２０および８３０は、治療されていない位置である。これは、選択された治療位置８２０および８３０のそれぞれ関する標示に基づいて観察可能である。選択された治療位置８２０および８３０の集合、ならびに任意の他の所望の情報が、ヘッドアップディスプレイを形成する。ヘッドアップディスプレイは、リアルタイム網膜画像上へのデータのオーバーレイを形成する。さらに、いくつかの実装形態では、選択された治療位置８２０および８３０の場合など、ヘッドアップディスプレイに含まれる情報の少なくとも一部は、網膜２１０とレジストレーションされる。ヘッドアップディスプレイは、手術部位のリアルタイム画像と、定義された治療計画に関連する情報との両方を含む情報を好都合な形でユーザに開示する。さらに、このようにして情報を表示することは、治療を把握して手術部位を追跡するために外科医などのユーザが様々な情報ディスプレイを見る必要をなくす。この情報を単一の位置に含めることにより、ユーザは、目の前の作業への注意を保ち、外科処置の時間を短縮することもできる。また、この情報を含めることにより、治療済みの領域および治療されていない領域を記録し、治療計画の進行状況をユーザが追跡できるようにする手段も提供される。この機能は、例えば閾値下の光凝固設定が使用されるときに有用である。なぜなら、閾値下の光凝固の適用時、治療される組織は、視覚的に明瞭な標示を示さないからである。
【００８６】
選択された治療位置に関連する情報の収集および記憶により、治療計画が記憶されているので、外科医が治療計画に関連する詳細を覚える必要をなくすことができる。これは、例えば、外科処置中に予期しない事態または緊急事態が発生した場合に有益である。外科医は、予期しない事態または緊急事態に対処し、その後、予期しない事態または緊急事態に対処するために外科医が逸脱した点から治療計画の実行を続けることができる。外科処置中にリアルタイムで治療計画を追跡すること（既に治療済みの治療位置と、まだ治療されていない治療位置との追跡を含むことがある）ができない場合、閾値下の治療は裸眼では見ることができないので、閾値下のレーザ治療の達成は不可能ではないにせよ難しい。
【００８７】
選択された治療位置８２０は、異常８４０を治療するために位置されることがあり、選択された治療位置８３０は、別の異常８５０を治療するために位置されることがある。レーザ標的標示２９０も画像８００内に存在する。ここでも、レーザ標的標示２９０は、治療レーザが発射された場合にレーザエネルギーが網膜２１０を照射する位置を識別する。
【００８８】
いくつかの実装形態では、治療計画の実行は完全に自動化されることがある。例えば、いくつかの場合には、レーザ送達デバイス１２０の位置決めは、レーザ制御デバイス１１０によって制御されることがある。レーザ制御デバイス１１０は、図８および９に示される選択された治療位置８２０および８３０など、選択された治療位置それぞれにレーザエネルギーを印加するために、レーザ送達デバイス１２０を移動させることがある。予めプログラムされた治療位置に結合された視線追跡機能を利用して、レーザ制御デバイス１１０は、選択された治療位置８２０および８３０それぞれにレーザ送達デバイス１２０を向け、それにより、レーザ標的標示２９０が、選択された治療位置の１つにオーバーレイするようにする。いくつかの場合には、視線追跡および画像処理は、レーザ標的標示２９０の観察に基づいてレーザを発射したときにレーザ照射が網膜２１０に当たる位置を決定する。
【００８９】
選択された治療位置に（選択された治療位置とのレーザ標的標示２９０のレジストレーションなどによって）正確に照準が定められると、レーザ制御デバイス１１０は、選択された治療位置それぞれに関して決定された（やはり治療計画の一部を成す）所定のレーザパラメータに従って、レーザを発射する。１つの選択された治療位置にレーザ光凝固治療が適用された後、レーザ制御デバイス１１０は、体系的に、別の選択された治療位置に照準を定めて治療するようにレーザ送達デバイス１２０を向けることがある。さらに、選択された治療位置の治療が完了すると、システム１００は、治療計画を更新する。治療計画への更新の一部として、システム１００は、治療済みであることを示すために、選択された治療位置の視覚インジケータを変更することがある。いくつかの場合には、選択された治療位置が治療されたとき、その選択された治療位置のその後の治療が禁止されるように治療計画が更新されることがある。
【００９０】
図８および９の例に示されるように、治療済みであることを反映する視覚インジケータは、黒丸である。例えば、図９は、治療済みであることを示す黒丸のいくつかの選択された治療位置９００と、治療がまだ行われていないことを示す白抜きのいくつかの他の選択された治療位置９１０とを示す。しかし、この目的のために、任意の視覚インジケータを使用することができる。特に、まだ治療を受けていない選択された治療位置の視覚インジケータと区別可能な任意の視覚インジケータを使用することができる。選択された治療位置が全て治療されると、システム１００は、ユーザに標示を提供することがある。例えば、システム１００は、聴覚標示、視覚表示、またはその両方を提供することがある。
【００９１】
他の実装形態では、治療計画の実行は、ユーザ誘導型の半自動プロセスでもよい。特に、外科医などのユーザは、１つまたは複数の選択された治療位置と位置が合うようにレーザ送達デバイス１２０を操作することがある。選択された治療位置とレーザ送達デバイス１２０とが適切に位置合わせされると、システム１００は、治療計画に従って所定のレーザパラメータで治療レーザ１５５を自動的に発射する。選択された治療位置とレーザ送達デバイス１２０との位置合わせは、画像処理および視線追跡を使用して決定されることがある。例えば、レーザ送達デバイス１２０が選択された治療位置と位置合わせされた時を決定するために、レーザ標的標示２９０の位置の追跡が利用されることがある。治療された後、治療計画が更新される。この更新は、治療済みであることを示すために、選択された治療位置に関するインジケータを変化させるまたは変更することを含むことがある。更新は、その選択された治療位置とレーザ送達デバイス１２０が再び位置合わせされたとしても、その位置のさらなる治療を禁止することを含むこともある。このタイプの安全措置は、治療位置が複数回治療されることを防止する。そのような治療計画は、ユーザ誘導型の半自動レジームと呼ばれることもある。このプロセスは、選択された治療位置が全て治療されるまで継続されることがある。
【００９２】
治療計画に従って選択された治療位置を治療するさらなる様式は、完全に手動であり得る。すなわち、いくつかの実装形態では、ユーザは、例えば選択された治療位置にレーザ標的標示２９０を位置合わせすることによって、選択された治療位置にレーザ送達デバイス１２０を手動で位置合わせする。いくつかの場合には、システム１００は、レーザ送達デバイス１２０が選択された治療位置と位置合わせされた時を示すことがある。次いで、ユーザは治療レーザ１５５を発射する。発射されると、例えばレーザ制御デバイス１１０を備えるシステム１００は、治療計画のパラメータに合致するようにレーザの発射を制御する。選択された治療位置の治療が完了すると、治療計画が更新される。例えば、システム１００は、特定の選択された治療位置が治療されたことに認識し、その位置のさらなる治療を防止し、治療済みであることを示すために選択された治療位置の標示を変更する。
【００９３】
レーザ治療が適用された場所を視覚的に識別するのはユーザにとって困難であり得るので、本明細書で述べる様式のいずれかでレーザ治療を提供するためにシステム１００を利用することは重要である。これは、例えば、適切な量のレーザエネルギーで治療された位置を、治療されていない位置と区別できないことがあるからである。したがって、レーザが発射されると、システム１００（そのレーザ制御デバイス１１０など）は、治療計画に従ってレーザ照射の印加を制御して、改良された治療を提供し、どの位置が治療されておりどの位置が治療されていないかを記録する。これは、外科処置の安全性および有効性を改良する。
【００９４】
図１２は、組織を治療するための例示的な方法１２００を示す。上で説明したように、眼組織の治療を参照して方法１２００を述べるが、本開示の範囲はそれに限定されない。方法１２００は、眼科学と眼科学以外の両方の任意の組織の治療に適用可能である。すなわち、方法１２００は、眼科学以外の他の医療分野において、他のタイプの疾患を治療するために使用することもできる。さらに、上で説明したように、方法１２００を含む本開示の範囲は、レーザ光凝固に限定されない。本明細書で述べる原理の使用は、他のタイプの治療と共に使用することもできる。したがって、これらの他の用途も本開示の範囲内である。
【００９５】
ステップ１２１０で、組織が視覚化される。この例では、眼組織が視覚化される。視覚化は、視覚化された組織における異常を識別するように動作可能な多くの技法を用いて実施することができる。例えば、視覚化は、ＯＣＴ、赤外線撮像、および網膜断層撮像を使用して実施されることがある。組織の異常を識別するために、他のタイプの視覚化を使用することもできる。
【００９６】
いくつかの実装形態では、視覚化は、眼の外部にあるデバイスを使用して達成されることもある。視覚化は、任意の組織異常の存在を判断するために使用することができる組織の撮像データを取得することを含む。例えば、ＯＣＴの場合、ＯＣＴデータの形での撮像データが、眼の外部にあるＯＣＴデバイスによって取得されることがある。特に、ＯＣＴデータは、ＯＣＴ機能を有する上述した顕微鏡１４０などの顕微鏡から取得することができる。したがって、いくつかの場合には、ＯＣＴデータは、患者の眼の角膜および水晶体を通した眼組織の視覚化から取得される。いくつかの場合には、視覚化データは、眼に少なくとも一部挿入されたデバイスまたはプローブによって取得されることがある。このタイプの視覚化データを取得するために、撮像デバイス１３０などの撮像デバイスが使用されることがある。例えば、同様にＯＣＴの場合、ＯＣＴプローブは、例えば網膜など、対象の眼組織のＯＣＴデータを取得するために、眼に少なくとも一部挿入されることがある。
【００９７】
さらに、いくつかの実装形態では、視覚化情報は手動で達成されることもある。例えば、いくつかの場合には、撮像データの少なくとも一部は、ユーザによる撮像デバイス（例えばＯＣＴプローブ）の手動操作によって取得されることがある。ユーザは、撮像デバイスを案内し、１つまたは複数の所望の位置で撮像データを取得することができる。他の場合には、撮像データは、所定のアルゴリズムに従って自動的に取得されることがある。例えば、撮像デバイスは、組織の予め選択された領域からの撮像データを取得する所定のアルゴリズムを実行することによって撮像データを取得することがある。ＯＣＴの場合、撮像データは、組織の任意の所望の領域を十分にカバーするように、複数の走査線に沿って自動的に取得されることがある。次いで、手動で取得されるか自動で取得されるかに関わらず、撮像データが記憶されることもある。その後、記憶されたデータは、任意の異常の存在について分析されることがある。いくつかの場合には、撮像データはデジタル形式で記憶されることがある。
【００９８】
ステップ１２２０で、組織の潜在的な異常を識別するために撮像データが使用される。例えば、潜在的な異常を識別するために、システム１００などのシステムが使用されることがある。より詳細には、いくつかの場合には、アプリケーション（レーザ制御アプリケーション１８０と同様のアプリケーションなど）に含まれることがある１つまたは複数のアルゴリズムで動作する制御デバイス（レーザ制御デバイス１１０と同様でよい）が、潜在的な異常を識別するために使用されることがある。いくつかの実装形態では、取得された撮像データを分析し、１つまたは複数の異常が存在するかどうかを判断するために、１つまたは複数のアルゴリズムが使用されることがある。したがって、いくつかの実装形態では、異常の識別は、ユーザからの選択入力なしに電子的に実施されることがある。
【００９９】
上で説明したアルゴリズムの１つまたは複数など、画像処理アルゴリズムを使用して、様々なタイプの異常の存在を判断することができる。上で説明したように、１つまたは複数の異常の存在を判断するために使用されることがある例示的な測定基準は、１つまたは複数の網膜層の厚さ、強度、強度勾配、位相、スペックルサイズ、血管密度、血流速度、酸素化、弾性、複屈折特性、サイズ、体積、凹度／凸度、および／または曲率半径を含む。例えば、網膜レーザ光凝固の場合、治療の候補である網膜の１つまたは複数の領域を決定するために、画像処理アルゴリズムが使用されることがある。組織の候補領域は、例えば静脈閉塞、黄斑浮腫、微小血管異常、網膜裂孔および裂傷、および眼腫瘍など、存在し得る様々な異常の検出によって識別されることがある。異常の位置は、識別され、例示的なシステム１００のメモリデバイス１７０と同様のメモリデバイスなどに記憶されることがある。
【０１００】
識別された異常の位置は、視線追跡デバイスおよび／またはアルゴリズムを使用して決定されることがある。視線追跡は、画像データと、データが得られた組織の正確な位置とのレジストレーションを可能にする。したがって、外科処置の治療段階中、識別された異常の位置は既知であり、それらの位置への正確な照準および治療の適用を容易にすることができる。例えば、いくつかの場合には、異常の位置は、組織のリアルタイム画像上に正確にオーバーレイされて、レーザ光凝固治療などの治療療法の正確な適用を可能にすることができる。
【０１０１】
１つまたは複数の異常の選択された治療位置のレジストレーションは、組織の特性または生理学的特性の識別を使用することによって達成されることがある。例えば、網膜の文脈では、網膜血管など網膜の特徴部が、網膜のリアルタイム画像に撮像データを正確にレジストレーションするために使用されることがある。
【０１０２】
ステップ１２３０で、所期の治療を達成するための治療計画が決定される。治療計画の決定は、治療対象の組織の位置、すなわち選択された治療位置の識別、選択された治療位置に適用すべき治療に関する治療パラメータの識別、および治療を行う順序の決定を含むことがある。また、治療計画は、例えば選択された治療位置が治療される順序など、他の態様を含むこともある。例示的なシステム１００のプロセッサ１６０およびレーザ制御アプリケーション１８０など、アプリケーションを実行するプロセッサが、取得された撮像データに基づいて治療計画を決定するために使用されることがある。
【０１０３】
網膜レーザ光凝固の例では、治療計画は、レーザエネルギーが特定の選択された治療位置に印加される量および様式を制御するレーザパラメータの決定を含むことがある。例えば、レーザ光凝固に関する治療計画は、例えばレーザ出力、治療すべき位置の数、選択された治療位置の位置、選択された治療位置のサイズ、治療を回避すべき領域（「除外区域」）、および／またはある位置にレーザエネルギーが印加される期間などのパラメータを含むことがある。他のパラメータも決定することができる。
【０１０４】
いくつかの実装形態では、治療計画は、アルゴリズムに従って決定されることがある。いくつかの場合には、治療計画は、アルゴリズムのみによって決定されることがある。アルゴリズムは、例えば異常の種類、異常のサイズ、異常の位置に基づいて治療計画を決定することがある。治療計画を決定するために、他の特性を使用することもできる。レーザエネルギーを含む治療の場合、治療計画を作成するために利用されるアルゴリズムは、レーザパラメータを最適化し、処置の有効性を改良し、処置を実施するための時間量を最適化し、細胞壊死を制御および／または低減し、視力喪失をなくしまたは最小限に抑え、発熱を低減することができる。
【０１０５】
治療計画は、治療中の組織のリアルタイム画像上にオーバーレイされることがあるヘッドアップディスプレイの一部を成すことがある。また、治療計画は、治療計画のパラメータをリアルタイム画像に正確に適用することを可能にするレジストレーションデータを含むこともある。例えば、レジストレーションは、選択された治療位置をリアルタイム画像上に正確に位置させることを可能にする。その結果、正確な治療が組織に適用される。
【０１０６】
ステップ１２４０で、治療計画に従って治療が送達される。いくつかの実装形態では、治療計画の適用は完全に自動化されることがある。例えば、治療計画は、ユーザからの入力がほとんどまたは全くない状態で、治療デバイスによって排他的に送達されることがある。例えば、デバイスは、視線追跡機能を含むことがある。治療デバイスは、レジストレーション情報を含む治療計画を利用し、治療中の組織のリアルタイム画像上に治療計画をオーバーレイする。治療デバイスは、例えばレーザ送達デバイスなどの治療器具の位置を制御する。治療デバイスは、治療計画に従って治療を適用する。例えば、治療デバイスは、選択された各治療位置に関する所定のパラメータに従って、かつ治療計画によって確立された順序に従って、治療を適用する。治療計画は、例えばどの選択された治療位置が治療済みであり、どの治療位置がまだ治療されていないかを追跡することによって、処置が進行するときに更新されることがある。治療の終了時、例えば聴覚的および／または視覚的な通知によって、ユーザが通知を受けることがある。
【０１０７】
他の実装形態では、治療計画に従った治療の送達は、一部自動化されることがある。いくつかの場合には、ユーザは、治療送達デバイスまたは器具（例えばレーザ送達デバイス）を手動で照準させることができ、器具は、治療制御デバイスによって治療計画に従って治療を適用するように形成されることがある。例えば、治療制御デバイスは、治療送達デバイスが特定の選択された治療位置と位置合わせされた時を検出し、治療計画に従ってその治療位置に治療を自動的に適用するように動作可能でよい。したがって、ユーザが治療送達デバイスを手動で操作することができる一方で、治療計画の実際の実行は、治療制御デバイスによって達成される。選択された治療位置に対する治療送達デバイスの標的位置を監視するために、画像処理が利用されることがある。標的位置と選択された治療位置との位置合わせが行われると、治療の適用が自動的に行われることがある。
【０１０８】
さらに他の実装形態によれば、治療計画の適用は、実質的に手動で達成されることがある。例えば、ユーザが治療送達デバイスを案内することができ、治療送達デバイスが選択された治療位置と位置合わせされたときに、ユーザに通知が提供されることがある。次いで、ユーザは、選択された治療位置への治療の適用をトリガすることができる。しかし、治療の実際の適用は、治療制御デバイスによって制御される。
【０１０９】
図１２は、組織を治療するための方法の一実装形態を示すが、組織を治療するための他の方法は、より少数の、追加の、および／または異なる操作構成を含むことがある。例えば、組織を治療するための別の例示的な方法は、閲覧または修正のために１つまたは複数の選択された治療位置をユーザに提示することをさらに要求することがある。別の例示的な方法は、閲覧または修正のためにユーザに治療計画を提示することを含むことがある。さらに他の場合には、別の例示的な方法は、治療対象の組織のリアルタイム画像を、治療計画のレジストレーションされた表現と共に表示することを含むことがある。表示された情報は、治療が進行するにつれて更新されることがある。例えば、選択された治療位置の治療後、その選択された治療位置の表現は、その選択された治療位置が治療済みであることを示すために視覚的にも治療計画内においても更新されることがある。
【０１１０】
本開示において多くの例を提示したが、本開示の範囲はそれに限定されない。上記の開示では、様々な修正、変更、および置換が企図されている。そのような変形は、本開示の範囲から逸脱することなく上記の開示に対して成すことができることを理解されたい。
【図１】
2018509975.tif 000003
【図２】
2018509975.tif 000004
【図３】
2018509975.tif 000005
【図４Ａ】
2018509975.tif 000006
【図４Ｂ】
2018509975.tif 000007
【図５Ａ】
2018509975.tif 000008
【図５Ｂ】
2018509975.tif 000009
【図６】
2018509975.tif 000010
【図７Ａ】
2018509975.tif 000011
【図７Ｂ】
2018509975.tif 000012
【図７Ｃ】
2018509975.tif 000013
【図８】
2018509975.tif 000014
【図９】
2018509975.tif 000015
【図１０】
2018509975.tif 000016
【図１１】
2018509975.tif 000017
【図１２】
2018509975.tif 000018
【国際調査報告】
2018509975.tif 000019
2018509975.tif 000020
2018509975.tif 000021